【事件の表示】
　特願２０１５−１９８８８０「ホログラム構造体」拒絶査定不服審判事件〔平成２９年　４月１３日出願公開、特開２０１７−　７２６９４〕について、次のとおり審決する。
【結　論】
　本件審判の請求は、成り立たない。
【理　由】
第１　事案の概要
１　手続等の経緯
　特願２０１５−１９８８８０号（以下「本件出願」という。）は、平成２７年１０月６日を出願日とする特許出願であって、その手続等の経緯の概要は、以下のとおりである。
　令和元年　６月２１日付け：拒絶理由通知書
　令和元年　８月２９日　　：手続補正書
　令和元年　８月２９日　　：意見書
　令和元年１２月２４日付け：拒絶査定
　令和２年　４月　６日　　：審判請求書
　令和２年　４月　６日　　：手続補正書
　令和２年　９月３０日付け：拒絶理由通知書
　令和２年１２月　４日　　：意見書
　令和２年１２月　４日　　：手続補正書
２　本願発明
　本件出願の請求項１〜１０に係る発明は、令和２年１２月４日提出の手続補正書によって補正された特許請求の範囲の請求項１〜１０に記載された事項によって特定されるとおりのものであるところ、その請求項１に係る発明（以下、「本願発明」という。）は、次のものである。
「　ホログラム形成領域を有するホログラム層を有し、
　前記ホログラム形成領域には、点光源から入射した光を所望の光像へ変換する、位相型フーリエ変換ホログラムが記録され、
　前記光像が、電子機器で解析可能な情報が暗号化された形状であり、
　前記点光源により平面視上前記ホログラム形成領域内に前記光像が再生され、
　前記ホログラム形成領域が、反射型ホログラム形成領域であり、
　前記ホログラム層の前記ホログラム形成領域には、点光源から入射した光を前記光像へ変換可能なホログラムセルと、前記ホログラムセルと同一平面上に形成され、平面視上パターン状に配置されることにより回折格子図柄を描画する回折格子セルと、が配置されており、
　前記回折格子図柄が、前記ホログラム形成領域内の前記光像が再生される領域を特定するものであることを特徴とするホログラム構造体。」
３　当合議体の拒絶の理由
　令和２年９月３０日付け拒絶理由通知書によって当合議体が通知した拒絶の理由は、概略、本件出願の請求項１〜９に係る発明は、その出願前に日本国内又は外国において頒布された刊行物に記載された発明に基づいて、その出願前にその発明の属する技術の分野における通常の知識を有する者（以下「当業者」という。）が容易に発明をすることができたものであるから、特許法２９条２項の規定により特許を受けることができない、という理由を含むものである。
引用文献１：特開２００２−９０５４８号公報
第２　当合議体の判断
１　引用文献１の記載及び引用発明
（１）引用文献１の記載
　当合議体が通知した拒絶の理由において引用された、特開２００２−９０５４８号公報（以下、同じく「引用文献１」という。）は、本件出願前に日本国内又は外国において頒布された刊行物であるところ、そこには、以下の記載がある。なお、下線は当合議体が付したものであり、引用発明の認定及び判断等に活用した箇所を示す。
ア　「【請求項１】
回折格子から成るセルを画素として、基板上に複数配置することにより、装飾画像が構成される表示体において、
装飾画像の表示領域内に、装飾画像とは別な特定情報を記録した計算機ホログラムから成るセルを、少なくとも１つ有
【請求項２】
計算機ホログラムが、特定情報をフーリエ変換して物体光成分としたフーリエ変換ホログラムであ
…中略…
【請求項８】
計算機ホログラムから成るセルに記録される情報が、機械的に読み取ることが可能なデータであることを特徴とする
回折格子から成る表示体。
イ　「【０００１】
【発明の属する技術分野】本発明は、基板の表面に微細な回折格子（グレーティング）をセル（ドット）毎に配置することにより形成される回折格子パターンを用いた表示体に関する。特に、回折格子パターンにより構成される装飾画像内に、それとは異なる特定情報が混在され、その情報の再生を必要とする製品に適用するのに好適な表示体に関する。
【０００２】
【従来の技術】従来より、ホログラムや回折格子を用いて画像などを表示する表示体は公知である。これらの表示体は、貼付した商品（例えば、クレジットカードや商品券）のセキュリティ性を向上する効果があり、偽造・模造の防止に役立ってきた。しかし、ホログラムや回折格子に対しても、さらなるセキュリティ性の向上が望まれている。
【０００３】このため、表示体の作製方法を複雑にして、偽造や模造を一層困難にする方法が考えられている。
…中略…
【０００６】従来の表示体におけるセルを構成単位とする回折格子パターンの一例を図１に示す。表示像（絵柄）は、正方形のセルの集まりによって構成されている。画素であるセルは、それぞれ絵柄を表示するのに適当な回折格子で埋められている。
【０００７】尚、本願明細書では、作製される「表示体」「回折格子パターン」「ディスプレイ」は同義語として扱われる。また、その構成要素である「セル」および「ドット」も同義語として扱われるが、円形のニュアンスのある「ドット」ではなく、任意な形状を持つニュアンスのある「セル」に用いて、以後の説明を行なうこととする。
…中略…
【００１０】２光束干渉法やＥＢ描画法により作製される回折格子パターン（表示体）は、単純な回折格子から構成されるため、複雑な格子線により構成されるレインボーホログラムなどと比べて、輝度や彩度の高い画像表現が可能であり、アイキャッチ効果が高く、目視による真偽判定もより容易であるという特徴を持つ。
【００１１】しかし、このような表示体は、肉眼での観察結果のみが真偽判定の基準であるため、見た目の印象が似ているものに対して、真偽判定を誤る危険性があった。また、目視のみが判定の基準となるため、目視で子細に観察することにより、似たような見え方をする贋造物を作ることも不可能ではない問題もある。
【００１２】一方、回折格子パターンを装飾画像の表示用としてではなく、機械読み取り用情報の記録に利用する提案もされている。（例えば、本出願人による特開平３−２１１０９６号公報）
従来の機械読み取り用の情報が記録された回折格子パターンでは、読み取りを行なう情報記録部は、読み取り専用の（コードなどの）特定情報のみが記録トラックの形態で記録されており、前記トラックには装飾画像を表示するためのパターンは記録されない。
【００１３】そのため、情報記録箇所が目視で明確に把握されてしまい、更に、単純な回折格子で記録情報を構成すると、記録できる情報量が少なく、記録情報そのものの偽造・模造への対策が不十分であるという問題がある。また、このような情報記録のされた領域を、回折格子パターン（装飾画像）と並べて配置した場合、情報記録領域からの回折光が、装飾画像となる表示情報を読み取りづらくする問題があり、総合的な表示品質を落とす原因になっていた。
【００１４】
【発明が解決しようとする課題】本発明は、回折格子から成るセルを画素として、基板上に複数配置することにより、装飾画像が構成される表示体において、装飾画像と合わせて、それとは異なる機械読み取り用の特定情報を記録する際に、特定情報の記録箇所が目視で明確に把握されることがなく、特定情報による情報量を多くすることにより、特定情報の存在が把握されたとしても、その偽造・模造への対策が十分でありながら、装飾画像の表示品質を低下させることがなく、特定情報のみを読み取ることが容易であり、偽造・模造の困難な表示体を提供することを目的とする。」
ウ　「【００１５】
【課題を解決するための手段】本発明は、上記の目的を達成するためになされたものであり、回折格子から成るセルを画素として、基板上に複数配置することにより、装飾画像が構成される表示体において、装飾画像の表示領域内に、装飾画像とは別な特定情報を記録した計算機ホログラムから成るセルを、少なくとも１つ有することを主な特徴とする。
【００１６】計算機ホログラムとしては、情報をフーリエ変換して物体光成分としたフーリエ変換ホログラムが好適であり、例えば、情報を２次元パターンとし、物体光の断面上の光強度分布をこの２次元パターンに対応した物体光を採用すれば良い。
【００１７】装飾画像を構成する回折格子セルは、計算機ホログラムに比べて単純な格子線から構成される回折格子により、セルを規定する領域内が覆われている。
【００１８】＜作用＞回折格子から成るセルを画素として基板上に複数配置することにより構成される表示体は、回折格子の空間周波数，角度，回折効率により、観察時の色，観察可能な方向，明るさを画素毎に任意に変化させることができ、通常の観察条件下において、肉眼で観察可能な画像や文字などを表示することが可能である。このとき、主として回折格子からの１次回折光が観察に利用される。
【００１９】このような表示体上に、装飾画像とは別な特定情報を記録した計算機ホログラムを配置することにより、予め決められた再生条件下において、記録された特定情報を、肉眼で認識もしくは専用機械で読み取ることが可能となる。（請求項１）
【００２０】この場合にも、主として計算機ホログラムからの１次回折光が情報再生光となる。本発明の計算機ホログラムとしては、キノフォームなども含めた広い意味での計算機ホログラムが適用できる。計算機ホログラムからの再生光（主として１次回折光）は、予め設定した距離に配置したスクリーンなどに、像を投影もしくは結像することができ、肉眼での情報認識もしくは専用機械での情報読み取りを容易に確実に行うことができる。
【００２１】さらに、
計算機ホログラムからの再生光を
バーコードなどを含む多くの情報を一度に再生することができる
【００２２】特に、計算機ホログラムをフーリエ変換型ホログラムとすることにより、情報の記録が容易であり、かつ情報再生も容易かつ確実に行うことが可能となる（請求項２）。ただし、情報再生においては、波長の帯域幅の狭い光を用いて計算機ホログラムを照明し、スクリーンに再生像を投影するなど、若干の装置類が必要になる。
…中略…
【００３１】特に、計算機ホログラムに記録された情報を機械読み取りデータとした場合、
肉眼で観察しても記録情報を読み取られることがなく
情報の隠蔽
を容易にするなどの効果がある
【００３２】セル内の回折格子の空間周波数及び方向により、上述のような効果を有したまま、表示体による像の画素の観察色、観察可能な方向を設定することにより、様々な色で表現された、視点位置により観察される像が変化する表示体が実現できる。観察可能な方向を多く複雑に設定することにより、計算機ホログラムを隠蔽する（計算機ホログラムからの回折光を気づかせないようにする）ことも可能である。
…中略…
【００３４】セルの大きさ及び計算機ホログラムの大きさをそれぞれ３００μｍ以下とすることにより、通常の観察条件下において、セル構造を目立たなくさせて高品質な像の表示を可能とすると共に、計算機ホログラムを肉眼で気づかせにくくすることができる（請求項１０）。また、表示体が比較的小さく、観察距離も小さくなる場合、１００μｍ以下の大きさのセルおよび計算機ホログラムを用いるのが望ましい。セル及び計算機ホログラムを市松状に配置する場合などには、それぞれが５０μｍ以下となるようにすると、肉眼での観察において計算機ホログラムを隠蔽する効果、セルによる表示像の解像度共に十分である。
…中略…
【００３６】
【発明の実施の形態】図２は、本発明の表示体の一例を示す説明図である。本発明の表示体では、図の左（上）に示しているような回折格子から成るセルを画素として画像を表示している。このような表示体に適当な白色光を入射し、観察者が適当な位置から観察するとき、本発明の表示体上の回折格子からの１次回折光が観察者の眼に入射し、１次回折光により任意の像を観察できる。
【００３７】このとき、セル毎に、主として回折格子の空間周波数によって観察される色が決められる。また、セル毎の回折格子の方向は、そのセルが光って見える方向（観察者の視点）を決定する。さらにセル毎の回折格子の回折効率やセルの大きさは、そのセルが光って見える際の明るさに関係する。従って、表示体上にある全てのセルの回折格子の空間周波数と方向と回折効率などを適切に設定することにより、表示される像がデザインできる。
【００３８】このような表示像を観察するように設計された空間的範囲（１次回折光が分布する範囲）が、本発明の表示体に対する視域である。一方、
本発明の表示体においては、計算機ホログラムも単純な回折格子セルと一緒に配置されている。
【００３９】このためには、上述の表示像の視域と、計算機ホログラムからの１次回折光が重ならないようにすれば良い。例えば、回折格子セルを構成する回折格子の空間周波数や方向と、計算機ホログラムの搬送波成分のそれらとが十分に差があれば、この条件は満たされる。なお、本発明の計算機ホログラムとしては、キノフォームなども含めた広い意味での計算機ホログラムが適用できる。
【００４０】また、回折格子セルや計算機ホログラムが十分に小さければ（望ましくは観察者の眼の解像度以下の大きさ）、周囲の回折格子セルのみが観察され、計算機ホログラムを気付かせないようにすることもでき、見た目の表示像の解像度も十分にできる。これを実現するためには、多くの場合、セルの大きさ及び計算機ホログラムの大きさを３００μｍ以下とすれば良い。
【００４１】また、表示体が比較的小さく、観察距離も小さくなる場合（例えば、３００ｍｍ前後）、１００μｍ以下の大きさのセルおよび計算機ホログラムを用いるのが望ましい。セルおよび計算機ホログラムを市松状に配置する場合などには、それぞれのサイズが５０μｍ以下となるようにすると、肉眼での観察において計算機ホログラムを隠蔽する効果、セルによる表示像の解像度共に十分である。
【００４２】図３は、通常の観察条件下における本発明の表示体の観察の一例を示す説明図である。図３では、本発明の表示体がｘｙ平面に平行に配置され、ｙｚ面内にある光源からの照明光で照明されている様子を示している。
【００４３】表示体上の個々の回折格子セルはそれぞれ１次回折光を射出し、観察者はｚ軸近辺に分布する１次回折光を瞳に入射させて、表示像を観察している。ここでの本発明の表示体は、個々のセルを構成する回折格子の格子ベクトルがｘ方向に近くないように設計したものである。
【００４４】一方、計算機ホログラムの搬送波成分の格子ベクトルはｘ方向となるようにしている。このため、図３のような表示体の観察において、計算機ホログラムからの１次回折光は、０次回折光に対してｘ方向に存在しているので、通常の観察では認識されない。従って、計算機ホログラムの存在に依存しない望ましい像の表示が可能となる。
【００４５】図４は、図３と同じ本発明の表示体上の
計算機ホログラムからの情報再生
図では、ｘｚ面内に置いたレーザーダイオードなどのような波長帯域の狭い光源
計算機ホログラムからの１次回折光をスクリーンで受けることにより情報を再生している
【００４６】このスクリーン上のパターンを肉眼で観察、
もしくはスクリーンを置かずにＣＣＤなどで直接受光することにより記録情報を容易に読み取ることが可能である
【００４７】また、このときには、スクリーンの位置などを知らないと、情報の再生が行えないため、情報隠蔽や偽造防止に一層の効果がある。なお、図４のような再生方法に対応する計算機ホログラムは、再生情報の品質（明るさやコントラスト、解像度など）の面で、複数個の計算機ホログラムが全体として１つの再生情報を形成するようにし、これらを平行光状の光で一度に再生するのが望ましい。
【００４８】このとき、図４において、像表示のための回折格子セルからの１次回折光は、０次回折光に対してｙ方向に存在しているので、再生情報の読み取り方向（スクリーン方向）には伝播しない。以上により、計算機ホログラムは表示像の観察時のノイズなどの原因にはならず、高品質な像表示が可能であり、さらに計算機ホログラムからの情報読み取り時には、他の回折格子セルは情報読み取り時のノイズなどの原因にはならず、高精度な情報読み取りなどが実現できる。
【００４９】また、記録情報を２次元の光強度パターンとし、これをフーリエ変換したものを物体光として得られたフーリエ変換型の計算機ホログラムを本発明の表示体における計算機ホログラムとして用いることにより、容易な情報記録・再生が可能となる。
【００５０】図５は、本発明の表示体上の計算機ホログラム（フーリエ変換ホログラム）からの情報再生の一例を示す説明図である。図では、ｘｚ面内にあるレーザーダイオードなどのような波長帯域の狭い光源からのビーム状の光を本発明の表示体に入射し、表示体上の計算機ホログラムからの１次回折光をレンズにより光学的にフーリエ変換してスクリーンに投影して情報を再生している。
【００５１】図４と同様に、このスクリーン上のパターンを肉眼で観察、もしくはスクリーンを置かずにＣＣＤなどで直接受光することにより、情報の読み取りが可能である。このとき、本発明の表示体とレンズ間の距離、及びレンズとスクリーン間の距離を、レンズの焦点距離と等しく配置することにより、再生時に光学的な「フーリエ変換」が実現できる。
…中略…
【００５６】なお、図３において、照明光の入射角度をαとして示しているが、１次回折光の射出角度は表示体の法線方向であるため（β1 ＝０）、図示していない。また、
以上の図では、主に反射型の回折格子および計算機ホログラムの場合について説明してきた
【００５７】図８は、本発明の表示体において、計算機ホログラムを等間隔に配置した場合の一例を示している。表示体上の一部を図の左側に拡大して表示しているが、このように横方向に１セル置きに配置しても良く、また図とは異なるが縦横共に等間隔に並べても良い。さらには、市松状に配置しても良く、一方、ランダムに配置しても良い。
…中略…
【００６３】なお、本発明の表示体を構成する回折格子セルおよび
計算機ホログラムは、表面レリーフに代表される位相型
【００６４】
【発明の効果】本発明の如く、回折格子から成るセルを画素として基板上に複数配置することにより成る表示体において、表示体の表示領域内に情報を記録した計算機ホログラムを少なくとも１つ有することによって、回折格子セルによって表現された像は高品質に保ちつつ、容易に再生可能な情報を記録できるようにしている。」
エ「【図３】
                                         
【図４】
   
【図５】
  
…中略…
【図８】
」
（２）引用発明
　引用文献１には、請求項１及び請求項２を引用する請求項８として、次の発明（以下、「引用発明」という。）が記載されている。
「　回折格子から成るセルを画素として、基板上に複数配置することにより、装飾画像が構成される表示体において、
　装飾画像の表示領域内に、装飾画像とは別な特定情報を記録した計算機ホログラムから成るセルを、少なくとも１つ有し、
　計算機ホログラムが、特定情報をフーリエ変換して物体光成分としたフーリエ変換ホログラムであり、
　計算機ホログラムから成るセルに記録される情報が、機械的に読み取ることが可能なデータである、回折格子から成る表示体。」
２　対比及び判断
（１）対比
　本願発明と引用発明を対比すると、以下のとおりとなる。
ア　ホログラム形成領域
(ア)　引用発明の「表示体」は、「装飾画像の表示領域内に、装飾画像とは別な特定情報を記録した計算機ホログラムから成るセルを、少なくとも１つ有し」ている。また、引用発明の「計算機ホログラム」は、「特定情報をフーリエ変換して物体光成分としたフーリエ変換ホログラムであ」る。
　上記構成及び技術常識を勘案すると、引用発明の「装飾画像の表示領域」には、「計算機ホログラムから成るセル」として、光源から入射した光を所望の光像へ変換する、フーリエ変換ホログラムが記録されているといえる（当合議体注：この点は、引用文献１の【００１６】，【００４６】及び【００４９】の記載からも確認できる事項である。）。
(イ)　さらに、引用発明の「表示体」は、「回折格子から成るセルを画素として、基板上に複数配置することにより、装飾画像が構成される表示体」である。
　この構成及び前記(ア)で述べた構成からみて、引用発明の「装飾画像の表示領域」には、入射した光を光像へ変換可能な「計算機ホログラムから成るセル」に加えて、「計算機ホログラムから成るセル」と同一平面上に形成され、平面視上パターン状に配置されることにより「装飾画像」を描画する「回折格子から成るセル」も配置されているといえる（当合議体注：この点は、引用文献１の【００１７】、【００１８】、【００３８】、【００５７】及び図８の記載からも確認できる事項である。）。また、この「装飾画像の表示領域」は、その機能及び配置からみて、ホログラムが形成された層状のものといえる。
(ウ)　以上勘案すると、引用発明の「装飾画像の表示領域」、「計算機ホログラムから成るセル」、「装飾画像」、「回折格子から成るセル」及び「表示体」は、それぞれ本願発明の「ホログラム形成領域」、「ホログラムセル」、「回折格子図柄」、「回折格子セル」及び「ホログラム構造体」に相当する。
　また、引用発明の「装飾画像の表示領域」と本願発明の「ホログラム形成領域」とは、「光源から入射した光を所望の光像へ変換する」、「フーリエ変換ホログラムが記録され」、「光源から入射した光を前記光像へ変換可能なホログラムセルと、前記ホログラムセルと同一平面上に形成され、平面視上パターン状に配置されることにより回折格子図柄を描画する回折格子セルと、が配置され」ている点で共通する。さらに、引用発明の「表示体」及び「装飾画像の表示領域」は、それぞれ本願発明の「ホログラム構造体」及び「ホログラム形成領域」における、「ホログラム形成領域を有するホログラム層を有し」及び「前記ホログラム層の前記ホログラム形成領域」という要件を満たす。
イ　暗号化された形状
　引用発明の「表示体」は、「計算機ホログラムから成るセルに記録される情報が、機械的に読み取ることが可能なデータである」。
　そうしてみると、引用発明の「表示体」は、本願発明の「前記光像が、電子機器で解析可能な情報が暗号化された形状であり」という要件を満たす。
（当合議体注：理論上は、「機械的に読み取ることが可能なデータ」であるからといって、「暗号化された」ものであるとは限らない（例えば、文字認識かもしれない。）。しかしながら、仮にこの点を相違点とするとしても、引用文献１の【００３１】の「計算機ホログラムに記録された情報を機械読み取りデータとした場合、肉眼で観察しても記録情報を読み取られることがなく、また、機械により多くの情報読み取りが可能となり、情報の隠蔽及び真偽判定を容易にするなどの効果がある（請求項８）。」や【００２１】の「バーコード」との記載が示唆する事項に過ぎないか、特開平１１−１５１８８４号公報の【０００１】、【０００２】、【００１０】、【００１４】等の記載が示唆する周知技術の付加にすぎない。）
（２）一致点及び相違点
ア　一致点
　本願発明と引用発明は、次の構成で一致する。
「ホログラム形成領域を有するホログラム層を有し、
　前記ホログラム形成領域には、光源から入射した光を所望の光像へ変換する、フーリエ変換ホログラムが記録され、
　前記光像が、電子機器で解析可能な情報が暗号化された形状であり、
　前記ホログラム層の前記ホログラム形成領域には、光源から入射した光を前記光像へ変換可能なホログラムセルと、前記ホログラムセルと同一平面上に形成され、平面視上パターン状に配置されることにより回折格子図柄を描画する回折格子セルと、が配置されている、
　ホログラム構造体。」
イ　相違点
　本願発明と引用発明は、以下の点で相違する。
（相違点１）
　「ホログラム形成領域」が、本願発明は、「
点
位相型
前記点光源により平面視上前記ホログラム形成領域内に前記光像が再生され
反射型ホログラム形成領域であ
点
（相違点２）
　「回折格子図柄」が、本願発明は、「前記ホログラム形成領域内の前記光像が再生される領域を特定するものである」のに対し、引用発明は、一応、これが明らかではない点。
（３）判断
ア　相違点１について
　引用文献１の【００６３】には、「計算機ホログラムは、表面レリーフに代表される位相型」とすることが記載されている。また、引用文献１の【００５６】、図４等の記載からみて、引用発明は、主に「反射型」の「計算機ホログラム」を想定したものである。そして、「計算機ホログラム」を、点光源により平面視上装飾画像の表示領域内に物体光を結像されるものとすることは、「計算機ホログラムから成るセルに記録される情報」を、「機械的に読み取る」ための設計上の一選択肢にすぎない（引用文献１の【００４５】、【００４６】、【００５０】、【００５１】、図４及び図５の記載からも理解される事項である。）。
　そうしてみると、引用発明において、相違点１に係る本願発明の構成とすることは、当業者が容易になし得た事項である。
イ　相違点２について
　引用発明は、「装飾画像の表示領域内に、装飾画像とは別な特定情報を記録した計算機ホログラムから成るセルを、少なくとも１つ有」する。
　そうしてみると、引用発明の「装飾画像」は、「計算機ホログラムから成るセルに記録される情報」を「機械的に読み取る」に際しての、目印として機能し得るものである。換言すると、引用発明において、「装飾画像の表示領域内に」、「特定情報」が「記録」されていることを知る利用者は、「装飾画像」の位置を根拠にして、「特定情報を記録した計算機ホログラム」の再生箇所を特定することが可能なものである。
　そうしてみると、相違点２は、実質的な相違点ではない。
（４）本願発明の効果について
　本願発明の効果に関して、本件出願の明細書の【００１６】には、「本発明は、情報の秘匿性に優れたホログラム構造体を提供できるという効果を奏する。」と記載されている。
　しかしながら、引用文献１の【００３１】には、「肉眼で観察しても記録情報を読み取られることがなく」、「情報の隠蔽」「を容易にするなどの効果がある」と記載されているから、本願発明の効果は、引用発明においても奏するものである。
（５）請求人の主張について
　請求人は令和２年１２月４日の意見書３．（１）ア）及びイ）において、本願発明の「前記回折格子図柄が、前記ホログラム形成領域内の前記光像が再生される領域を特定するものであることを特徴とする」との構成を、「発明特定事項Ｇ」とするとともに、「上記引用文献４および引用文献１には、上記発明特定事項Ｇに関する記載は一切ありません。」と主張する。
　しかしながら、発明特定事項Ｇが実質的な相違点を構成しないことは、上記（３）イで述べたとおりである。
第３　まとめ
　本願発明は、引用文献１に記載された発明（及び周知技術）に基づいて、その出願前にその発明の属する技術の分野における通常の知識を有する者が容易に発明をすることができたものであるから、特許法２９条２項の規定により特許を受けることができない。
　よって、他の請求項に係る発明について検討するまでもなく、本件出願は拒絶されるべきものである。
　よって、結論のとおり審決する。